(57)【要約】      （修正有）【課題】地図情報のみに基づいて経路情報を提供する場合に比して、より適切な経路情報を提供する。【解決手段】経路情報提供サーバ３０が、移動体の位置情報を受信する通信部３３と、施設に関する施設位置を含む地図情報を記憶する記憶部３２と、前記移動体の位置情報に基づいて、前記移動体の前記施設までの移動経路における出発位置を特定し、該特定した出発位置が前記施設から第１所定範囲内に存在する場合には、前記移動体の前記施設までの移動経路を蓄積移動経路として蓄積する移動経路蓄積部（地元ルート蓄積部３１２）と、経路情報の要求元に対応する移動体の現在の移動経路における出発位置が前記施設から第２所定範囲外に存在する場合には、前記要求元に対して前記蓄積移動経路を配信する経路情報配信部３１３と、を備える。【選択図】図４
2019007919.tif 000002
【特許請求の範囲】
【請求項１】
移動体の位置情報を受信する受信部と、
施設に関する施設位置を含む地図情報を記憶する記憶部と、
前記移動体の位置情報に基づいて、前記移動体の前記施設までの移動経路における出発位置を特定し、該特定した出発位置が前記地図情報により特定される施設位置から第１所定範囲内に存在する場合には、前記移動体の前記施設までの移動経路を蓄積移動経路として蓄積する移動経路蓄積部と、
経路情報の要求元に対応する移動体の現在の移動経路における出発位置が前記施設位置から第２所定範囲外に存在する場合には、前記要求元に対して前記蓄積移動経路を配信する経路情報配信部と、
を備えることを特徴とする経路情報提供サーバ。
【請求項２】
前記経路情報配信部はさらに、前記地図情報に含まれる前記移動体が通行可能な道路に関する情報に基づいて、前記要求元に対応する移動体が右折を伴う移動経路で前記施設に対して訪問する可能性が高いと判定された場合に、前記要求元に対して前記蓄積移動経路を配信することを特徴とする請求項１に記載の経路情報提供サーバ。
【請求項３】
前記移動経路蓄積部はさらに、移動体の位置情報に含まれる該位置情報の測位時刻に基づいて、前記移動体が蓄積移動経路を実際に移動した時間帯毎に区別して前記蓄積移動経路を蓄積し、
前記経路情報配信部はさらに、前記蓄積移動経路を前記要求元に対して配信する場合に、前記経路情報の要求を受けた時間帯に対応する前記蓄積移動経路を前記要求元に対して配信することを特徴とする請求項１又は２に記載の経路情報提供サーバ。
【請求項４】
前記移動経路蓄積部はさらに、道路状況を表す情報を取得し、該道路状況を表す情報に基づいて、前記移動体が蓄積移動経路を実際に移動した際の道路状況毎に区別して前記蓄積移動経路を蓄積し、
前記経路情報配信部はさらに、前記蓄積移動経路を前記要求元に対して配信する場合に、前記経路情報の要求を受けた時点の道路状況に対応する前記蓄積移動経路を前記要求元に対して配信することを特徴とする請求項１から３の何れか１項に記載の経路情報提供サーバ。
【請求項５】
請求項１から４の何れか１項に記載の経路情報提供サーバと、移動体側端末と、を備えた経路案内システムであって、
前記移動体側端末が、
前記移動体において、前記経路情報提供サーバに対して前記経路情報の要求を送信する経路情報要求部と、
前記要求に応じて経路情報提供サーバから配信された前記蓄積移動経路に基づいて、前記移動体において、前記施設までの経路案内を行う経路案内部と、
を備えることを特徴とする経路案内システム。
【請求項６】
コンピュータが行う経路情報提供方法であって、
移動体の位置情報を受信する受信ステップと、
施設に関する施設位置を含む地図情報を記憶する記憶ステップと、
前記移動体の位置情報に基づいて、前記移動体の前記施設までの移動経路における出発位置を特定し、該特定した出発位置が前記地図情報により特定される施設位置から第１所定範囲内に存在する場合には、前記移動体の前記施設までの移動経路を蓄積移動経路として蓄積する移動経路蓄積ステップと、
経路情報の要求元に対応する移動体の現在の移動経路における出発位置が前記施設位置から第２所定範囲外に存在する場合には、前記要求元に対して前記蓄積移動経路を配信する経路情報配信ステップと、
を備えることを特徴とする経路情報提供方法。
【発明の詳細な説明】
【技術分野】
【０００１】
本発明は、経路案内のための経路情報を提供する、経路情報提供サーバ、経路案内システム、及び経路情報提供方法に関する。
【背景技術】
【０００２】
従来、自動車等の移動体の運転者に対して経路案内を行うカーナビゲーション装置が知られている。また、このカーナビゲーション装置に、サーバ等が経路情報を提供するような構成も知られている。
これらのカーナビゲーション装置やサーバによる経路案内では、移動体に設置したカーナビゲーション装置のディスプレイに画像表示したりスピーカから音声出力したりすることによって、運転者に対して目的地までの経路案内を行うことができる。
【０００３】
このような経路案内に関する技術の一例が、特許文献１に開示されている。特許文献１に開示の技術では、ユーザから出発時刻と希望到着時刻とからなる時間的制約を受け付けると共に、経由地となる拠点間の最短距離を地図情報より取得する。そして、出発地点と前記終着地点と前記拠点とを通る最適経路を、最短距離と時間的制約とに基づいて探索する。
特許文献１に開示の技術では、このように拠点間の最短距離等に基づいて最適経路を探索することにより、ユーザの移動距離を短くすることを可能としている。
【先行技術文献】
【特許文献】
【０００４】
【特許文献１】特開２０１２−２１５４０１号公報
【発明の概要】
【発明が解決しようとする課題】
【０００５】
特許文献１に開示の技術等を利用すれば、上述したように、最短距離に基づいて最適経路を探索することができる。
しかしながら、実際に移動体にて移動する場合には、最短距離を移動することが必ずしも適切ではない場合もあり得る。
【０００６】
例えば、交通量の多い幹線道路において、交差点ではない場所で右折を行うことは困難である場合が多い。そのため、運転者としては、仮に最短距離を移動する経路であるとしても、このような場所での右折を伴う経路を提示されても困ってしまうような場合もある。また、仮に最短距離を移動する経路であるとしても、その途中に、走行が困難な道幅の細い道路や、渋滞している道路が含まれているような場合には、結果として移動に長い時間を要することもあり得る。
このような事情があるため、単に地図情報に含まれる道路情報に基づいたとしても、適切な経路情報を提供することは困難であった。
【０００７】
本発明はこのような問題に鑑みてなされたものであり、本発明は、地図情報のみに基づいて経路情報を提供する場合に比して、より適切な経路情報を提供することが可能な、経路情報提供サーバ、経路案内システム、及び経路情報提供方法を提供することを目的とする。
【課題を解決するための手段】
【０００８】
（１）本発明の経路情報提供サーバ（例えば、後述の経路情報提供サーバ３０）は、移動体（例えば、後述の車両５０）の位置情報を受信する受信部（例えば、後述の通信部３３）と、施設に関する施設位置を含む地図情報（例えば、後述の地図情報３２２）を記憶する記憶部（例えば、後述の記憶部３２）と、前記移動体の位置情報に基づいて、前記移動体の前記施設までの移動経路における出発位置を特定し、該特定した出発位置が前記地図情報により特定される施設位置から第１所定範囲内に存在する場合には、前記移動体の前記施設までの移動経路を蓄積移動経路（例えば、後述の地元ルート情報３２３）として蓄積する移動経路蓄積部（例えば、後述の地元ルート蓄積部３１２）と、経路情報の要求元に対応する移動体の現在の移動経路における出発位置が前記施設位置から第２所定範囲外に存在する場合には、前記要求元に対して前記蓄積移動経路を配信する経路情報配信部（例えば、後述の経路情報配信部３１３）と、を備える。
【０００９】
上記（１）によれば、出発位置が地図情報により特定される施設位置から第１所定範囲内に存在する場合には、移動体の施設までの移動経路を蓄積移動経路として蓄積する。ここで、出発位置が第１所定範囲に在圏するとは、施設の近くから施設を訪問していることを示す。つまり、施設の近傍に自宅や職場等がある施設近辺に詳しいユーザ（以下、適宜「地元ユーザ」と呼ぶ。）である可能性が高い。そして、このような地元ユーザは、施設近辺に詳しいことから、施設に訪れるために最適な経路を利用するはずである。つまり、上記（１）によれば、このような地元ユーザが利用する経路（以下、適宜「地元ルート」と呼ぶ）を、最適な経路情報として蓄積することができる、という効果を奏する。
【００１０】
また、上記（１）によれば、経路情報の要求元に対応する移動体の現在の移動経路における出発位置が施設位置から第２所定範囲外に存在する場合には、要求元に対して蓄積移動経路を配信する。ここで、出発位置が施設から第２所定範囲外に存在するとは、施設の遠方から施設を訪問していることを示す。つまり、施設の近傍に自宅や職場等がある訳ではなく、施設近辺にはあまり詳しくないユーザである可能性が高い。そして、このようなユーザは、施設近辺にあまり詳しくないことから、施設に訪れるために最適な経路を知らない可能性が高い。つまり、上記（１）によれば、このような施設近辺にはあまり詳しくないユーザに対して、地元ユーザが利用する地元ルートを、最適な経路情報として提供することができる、という効果を奏する。
【００１１】
上述したように、地元ルートは、地元ユーザが施設を訪れる際に実際に利用する経路であり、利便性の高い最適な経路である可能性が高い。つまり、交通量の多い幹線道路における交差点ではない場所での右折のような困難な経路を含まず、また、その途中に、走行が困難な道幅の細い道路や、渋滞している道路も含まれない可能性が高い。あるいは、右折や、道幅の細い道路や、渋滞している道路を含んだとしても、それを上回るほどに短い時間で到着することができる等の利点がある可能性が高い。従って、このような経路の情報を提供できる上記（１）の構成は、地図情報のみに基づいて経路情報を提供する場合に比して、より適切な経路情報を提供することが可能となる、という効果を奏する。
【００１２】
（２）上記（１）に記載の経路情報提供サーバを、前記経路情報配信部はさらに、前記地図情報に含まれる前記移動体が通行可能な道路に関する情報に基づいて、前記要求元に対応する移動体が右折を伴う移動経路で前記施設に対して訪問する可能性が高いと判定された場合に、前記要求元に対して前記蓄積移動経路を配信するようにしてもよい。
【００１３】
上記（２）によれば、要求元に対応する移動体が右折を伴う移動経路で前記施設に対して訪問する可能性が高いと判定された場合に、要求元に対して蓄積移動経路を配信することができる。従って、右折を含まない経路や、仮に右折を含んだとしても、それを上回るほどに短い時間で到着することができる等の利点がある経路である地元ルートの情報を提供することが可能となる、という効果を奏する。
【００１４】
（３）上記（１）又は（２）に記載の経路情報提供サーバを、前記移動経路蓄積部はさらに、移動体の位置情報に含まれる該位置情報の測位時刻に基づいて、前記移動体が蓄積移動経路を実際に移動した時間帯毎に区別して前記蓄積移動経路を蓄積し、前記経路情報配信部はさらに、前記蓄積移動経路を前記要求元に対して配信する場合に、前記経路情報の要求を受けた時間帯に対応する前記蓄積移動経路を前記要求元に対して配信するようにしてもよい。
【００１５】
上記（３）によれば、経路情報の要求を受けた時間帯に対応する蓄積移動経路を要求元に対して配信することができる。この点、時間帯に応じて道路の混雑状況等が変化するので、時間帯によって適切な経路は異なる場合がある。もっとも、上記（３）によれば、これを考慮して経路情報の要求を受けた時間帯に対応する地元ルートを提供することが可能となる、という効果を奏する。
【００１６】
（４）上記（１）から（３）の何れかに記載の経路情報提供サーバを、前記移動経路蓄積部はさらに、道路状況を表す情報を取得し、該道路状況を表す情報に基づいて、前記移動体が蓄積移動経路を実際に移動した際の道路状況毎に区別して前記蓄積移動経路を蓄積し、前記経路情報配信部はさらに、前記蓄積移動経路を前記要求元に対して配信する場合に、前記経路情報の要求を受けた時点の道路状況に対応する前記蓄積移動経路を前記要求元に対して配信するようにしてもよい。
【００１７】
上記（４）によれば、前記経路情報の要求を受けた時点の道路状況に対応する蓄積移動経路を要求元に対して配信することができる。この点、混雑状況等の道路状況によって適切な経路は異なる場合がある。もっとも、上記（４）によれば、これを考慮して経路情報の要求を受けた時点の道路状況に対応する地元ルートを提供することが可能となる、という効果を奏する。特に、時間と道路状況に相関関係がなく、日によって道路が渋滞等する時間が異なるような場合に有益である。
【００１８】
（５）  本発明の経路案内システムは、上記（１）から（４）の何れかに記載の経路情報提供サーバと、移動体側端末と、を備えた経路案内システムであって、前記移動体側端末が、前記移動体において、前記経路情報提供サーバに対して前記経路情報の要求を送信する経路情報要求部と、前記要求に応じて経路情報提供サーバから配信された前記蓄積移動経路に基づいて、前記移動体において、前記施設までの経路案内を行う経路案内部と、を備える。
【００１９】
上記（５）によれば、移動体側端末が経路情報の要求及び蓄積移動経路に基づいた経路案内を行うことにより、移動体の運転者が地元ルートを経路として運転を行うことが可能となる、という効果を奏する。
【００２０】
（６）本発明の経路情報提供方法は、コンピュータ（例えば、後述の経路情報提供サーバ３０）が行う経路情報提供方法であって、移動体（例えば、後述の車両５０）の位置情報を受信する受信ステップと、施設に関する施設位置を含む地図情報（例えば、後述の地図情報３２２）を記憶する記憶ステップと、前記移動体の位置情報に基づいて、前記移動体の前記施設までの移動経路における出発位置を特定し、該特定した出発位置が前記地図情報により特定される施設位置から第１所定範囲内に存在する場合には、前記移動体の前記施設までの移動経路を蓄積移動経路（例えば、後述の地元ルート情報３２３）として蓄積する移動経路蓄積ステップと、経路情報の要求元に対応する移動体の現在の移動経路における出発位置が、前記施設位置から第２所定範囲外に存在する場合には、前記要求元に対して前記蓄積移動経路を配信する経路情報配信ステップと、を備える。
【００２１】
上記（６）の方法によれば、（１）の経路情報提供サーバと同様の効果を奏する。
【発明の効果】
【００２２】
本発明によれば、地図情報のみに基づいて経路情報を提供する場合に比して、より適切な経路情報を提供することが可能となる。
【図面の簡単な説明】
【００２３】
【図１】本発明の実施形態である経路案内システム全体の基本的構成を示すブロック図である。
【図２】本発明の実施形態における車載ナビゲーション装置の機能構成を示す機能ブロック図である。
【図３】本発明の実施形態における携帯端末の機能構成を示す機能ブロック図である。
【図４】本発明の実施形態における経路情報提供サーバの機能構成を示す機能ブロック図である。
【図５】本発明の実施形態における位置情報データベースの例を示す図である。
【図６】本発明の実施形態における地図情報の表示の一例を示す図である。
【図７】本発明の実施形態における一般ルート情報に基づいたルート表示の一例を示す図である。
【図８】本発明の実施形態における地元ルート情報に基づいたルート表示の一例を示す図である。
【図９】本発明の実施形態における地元ルート情報に基づいたルート表示の他の一例を示す図である。
【図１０】本発明の実施形態におけるユーザインタフェースの一例を示す図である。
【図１１】本発明の実施形態における位置情報の収集及び位置情報データベースの更新時の基本的動作を示すフローチャートである。
【図１２】本発明の実施形態における経路情報提供処理時の基本的動作を示すフローチャートである。
【発明を実施するための形態】
【００２４】
以下、本発明の経路案内システムの好ましい一実施形態について、図を参照しながら詳細に説明する。
【００２５】
＜経路案内システム１の全体構成＞
本発明の好ましい一実施形態に係る経路案内システム１について説明する。図１に、経路案内システム１の全体構成を示す。
【００２６】
図１に示すように、経路案内システム１は、車載ナビゲーション装置１０と、携帯端末２０と、経路情報提供サーバ３０と、を含んで構成される。これら各装置及び各端末は、通信網４０を介して相互に通信可能に接続される。なお、図中では、これら各装置及び各端末にて送受信される情報についても図示しているが、これらの情報はあくまで一例である。本実施形態にて、図示をしている以外の情報が送受信されるようにしてもよい。
【００２７】
車載ナビゲーション装置１０は、車両５０ａに乗車したユーザに対して、経路案内（カーナビゲーション）を行う装置である。車載ナビゲーション装置１０は、ユーザの要求に基づき、現在位置から目的地までの経路案内を行う。また、車載ナビゲーション装置１０は、車載ナビゲーション装置１０の位置情報（すなわち、車両５０ａの位置情報）を測位する機能も有する。車載ナビゲーション装置１０が測位した位置情報は、経路情報提供サーバ３０に対して適宜送信される。
車載ナビゲーション装置１０は、移動体である車両５０ａに据え付けられたカーナビゲーション装置や、移動体である車両５０ａに簡易的に設置され可搬可能なＰＮＤ（Portable Navigation Device）によりにより実現することができる。
【００２８】
携帯端末２０は、車両５０ｂに乗車したユーザが利用する携帯端末である。携帯端末２０は、上述した車載ナビゲーション装置１０と同様に、携帯端末２０の位置情報（すなわち、車両５０ｂの位置情報）を測位する機能を有する。携帯端末２０が測位した位置情報は、車載ナビゲーション装置１０が測位した位置情報と同様に、経路情報提供サーバ３０に対して適宜送信される。
携帯端末２０は、スマートフォン、携帯電話機、タブレット端末、ノートパソコン、その他の携帯可能な電子機器により実現することができる。
【００２９】
なお、図中では、車載ナビゲーション装置１０と車両５０ａの組と、携帯端末２０と車両５０ｂの組をそれぞれ一組ずつ図示しているが、これらの組数に特に制限はない。また、以下の説明において、車載ナビゲーション装置１０が搭載された車両５０ａや、携帯端末２０を利用するユーザが乗車する車両５０ｂを区別することなく呼ぶ場合には、末尾のアルファベットを省略して、単に「車両５０」と呼ぶ。
【００３０】
経路情報提供サーバ３０は、本実施形態特有の処理として、地図情報のみに基づいて経路情報を提供する場合に比して、より適切な経路情報を提供するための経路情報提供処理を行う装置である。
経路情報提供サーバ３０は、車載ナビゲーション装置１０や携帯端末２０から、各車両５０の位置情報を取得することにより、各車両５０の位置情報についてのデータベースである位置情報データベースを作成する。また、経路情報提供サーバ３０は、複数の施設に関する施設位置を含む地図情報を記憶する。
そして、経路情報提供サーバ３０は、車両５０の位置情報に基づいて、施設までの移動経路における出発位置を特定し、該特定した出発位置が地図情報により特定される施設位置から第１所定範囲内に存在する場合には、この車両５０の施設までの移動経路を地元ルートとして蓄積する。
ここで、出発位置が第１所定範囲に在圏するとは、施設の近くから施設を訪問していることを示す。つまり、施設の近傍に自宅や職場等がある施設近辺に詳しい地元ユーザである可能性が高い。そして、このような地元ユーザは、施設近辺に詳しいことから、施設に訪れるために利便性の高い最適な経路を利用するはずである。つまり、本実施形態によれば、このような地元ユーザが利用する地元ルートを、最適な経路情報として蓄積することができる、という効果を奏する。
【００３１】
更に、経路情報提供サーバ３０は、車載ナビゲーション装置１０や携帯端末２０から経路情報の要求を受けた場合に、要求元に対応する車両５０の現在の移動経路における出発位置が施設位置から第２所定範囲外に存在する場合には、要求元に対して地元ルートについての経路情報を配信する。
ここで、出発位置が施設から第２所定範囲外に存在するとは、施設の遠方から施設を訪問していることを示す。つまり、施設の近傍に自宅や職場等がある訳ではなく、施設近辺にはあまり詳しくないユーザである可能性が高い。そして、このようなユーザは、施設近辺にあまり詳しくないことから、施設に訪れるために最適な経路を知らない可能性が高い。つまり、本実施形態、このような施設近辺にはあまり詳しくないユーザに対して、地元ユーザが利用する地元ルートを、最適な経路情報として提供することができる、という効果を奏する。
【００３２】
上述したように、地元ルートは、地元ユーザが施設を訪れる際に実際に利用する経路であり、利便性の高い最適な経路である可能性が高い。つまり、交通量の多い幹線道路における交差点ではない場所での右折のような困難な経路を含まず、また、その途中に、走行が困難な道幅の細い道路や、渋滞している道路も含まれない可能性が高い。あるいは、右折や、道幅の細い道路や、渋滞している道路を含んだとしても、それを上回るほどに短い時間で到着することができる等の利点がある可能性が高い。従って、このような経路の情報を提供できる本実施形態の構成は、地図情報のみに基づいて経路情報を提供する場合に比して、より適切な経路情報を提供することが可能となる、という効果を奏する。
【００３３】
また、車載ナビゲーション装置１０や携帯端末２０が、この配信された地元ルートについての経路情報により、経路案内を行うことにより、車両５０の運転手であるユーザは地元ルートを経路として施設へ訪れることが可能となる、という効果を奏する。
【００３４】
なお、経路情報提供サーバ３０は、例えば、汎用のサーバ装置に本実施形態特有のソフトウェアを組み込むことによりにより実現することができる。
【００３５】
通信網４０は、インターネットや携帯電話網といったネットワークや、これらを組合せたネットワークにより実現される。
【００３６】
車両５０は、車載ナビゲーション装置１０や携帯端末２０のユーザが乗車する移動体である。車両５０は、例えば、四輪自動車や自動二輪車や自転車等により実現される。
【００３７】
＜車載ナビゲーション装置１０が備える機能ブロック＞
次に、車載ナビゲーション装置１０が備える機能ブロックについて図２のブロック図を参照して説明をする。
ここで、車載ナビゲーション装置１０は、車両５０ａから電源の供給を受けており、車両５０ａに乗車したユーザにより車両５０ａのイグニッションスイッチがオン（エンジンを起動）にされることによって自動起動する。そして、車載ナビゲーション装置１０は、車両５０ａに乗車したユーザにより車両５０ａのイグニッションスイッチがオフ（エンジンを停止）にされるまで稼働する。
【００３８】
図２に示すように、車載ナビゲーション装置１０は、制御部１１と、記憶部１２と、通信部１３と、センサ部１４と、表示部１５と、入力部１６とを含んで構成される。
【００３９】
制御部１１は、マイクロプロセッサ等の演算処理装置から構成され、１０を構成する各部の制御を行う。制御部１１の詳細については、後述する。
【００４０】
記憶部１２は、半導体メモリ等で構成されており、ファームウェアやオペレーティングシステムと呼ばれる制御用のプログラムや、経路案内処理を行うためのプログラムや、経路情報提供サーバ３０に対する位置情報の送信処理を行うためのプログラムといった各プログラム、更にその他、地図情報等の種々の情報が記憶される。図中には、記憶部１２が記憶する情報として、経路情報提供サーバ３０による経路情報提供処理に関する情報である、地図情報１２１、位置情報１２２及び識別情報１２３を図示する。
【００４１】
地図情報１２１には、道路や施設等の地物に関する情報、道路情報、施設位置情報、駐車場情報等の情報が含まれる。また、地図情報１２１には他にも、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
【００４２】
道路情報としては道路の種別や信号機等のいわゆる道路地図の情報が保存されている。
施設位置情報としては、各施設の位置情報が緯度経度の情報として保存されている。また、施設位置情報として、施設の識別情報（施設ＩＤ）、名称、施設種別（及び／又はジャンル）、電話番号、住所、営業時間、施設が飲食店であれば提供するメニュー、商品役務等に関する施設情報、等の付帯的な情報が含まれていてもよい。
駐車場情報としては、駐車場の位置情報が緯度経度の情報として保存されている。駐車場が各施設の駐車場である場合には、施設と駐車場を紐付けて保存される。
【００４３】
位置情報１２２は、後述のセンサ部１４により測位された車載ナビゲーション装置１０の位置情報（すなわち、車両５０ａの位置情報）である。位置情報１２２には、測位された位置を示す情報のみならず、測位を行った時刻である測位時刻も含まれるようにするとよい。
【００４４】
また、識別情報１２３は、車載ナビゲーション装置１０を識別するための情報である。識別情報１２３としては、例えば車載ナビゲーション装置１０に一意に割り当てられた製造番号等を利用することができる。また、他にも、通信部１３が携帯電話網等のネットワークである通信網４０に接続するために、通信部１３に挿入されたＳＩＭ（Subscriber Identity Module）に付与された電話番号を識別情報１２３として利用することができる。また、他にも、車両５０ａに固有に付与されたＶＩＮ（車両識別番号）やナンバープレートの番号を識別情報１２３として利用することができる。
【００４５】
これらの記憶部１２に格納される各情報については、記憶部１２に予め記憶しておく構成としてもよいし、通信網４０に接続された経路情報提供サーバ３０や、他のサーバ装置（図示を省略する。）等から必要に応じて適宜ダウンロードされる構成としてもよい。更に、ユーザの入力等に応じて適宜修正されてもよい。
【００４６】
通信部１３は、ＤＳＰ（Digital Signal Processor）等を有し、３Ｇ（3rd Generation）、ＬＴＥ（Long Term Evolution）やＷｉ−Ｆｉ（登録商標）といった規格に準拠して、通信網４０を介して通信網４０を介した他の装置（例えば、経路情報提供サーバ３０）との間の無線通信を実現する。通信部１３は、例えば、後述の位置情報送信部１１２が、記憶部１２に格納されている位置情報１２２及び識別情報１２３を、経路情報提供サーバ３０に対して送信するために利用される。ただし、通信部１３と他の装置との間で送受信されるデータに特に制限はなく、位置情報１２２及び識別情報１２３以外の情報が送受信されるようにしてもよい。
【００４７】
センサ部１４は、例えばＧＰＳ（Global Positioning System）センサ、ジャイロセンサ、加速度センサ等により構成される。センサ部１４は、位置情報を検出する位置検出手段としての機能を備え、ＧＰＳセンサによりＧＰＳ衛星信号を受信し、車載ナビゲーション装置１０の位置情報（緯度及び経度）を測位する。センサ部１４による測位は、上述したように所定の時間間隔（例えば３秒間隔）で行われる。測位した位置情報は、位置情報１２２として記憶部１２に格納される。
なお、センサ部１４は、ジャイロセンサ、加速度センサにより測定される角速度や、加速度に基づいて車載ナビゲーション装置１０の位置情報の測位精度を更に高めることも可能である。
また、センサ部１４は、ＧＰＳ通信が困難又は不可能となった場合に、ＡＧＰＳ（Assisted Global Positioning System）通信を利用し、通信部１３から取得される基地局情報によって車載ナビゲーション装置１０の位置情報を算出することも可能である。
【００４８】
表示部１５は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、車載ナビゲーション装置１０の現在位置、地図情報１２１から読み出された車載ナビゲーション装置１０の現在位置周辺の地図情報、ユーザに設定された目的地、他の車載ナビゲーション装置１０から通知された待ち合わせ情報、
経路情報提供サーバ３０から配信された経路情報に基づいた地元ルート情報、その他のルート情報、各種のユーザインタフェース等が挙げられる。
【００４９】
入力部１６は、テンキーと呼ばれる物理スイッチや表示部１５の表示面に重ねて設けられたタッチパネル等の入力装置（図示を省略する。）等で構成される。入力部１６からの操作入力、例えばユーザによるテンキーの押下、タッチパネルのタッチに基づいた信号を制御部１１に出力することで、ユーザによる選択操作や、地図の拡大縮小等の操作を実現することができる。
【００５０】
なお、この他、図示しないが、車載ナビゲーション装置１０は、スピーカやマイク等を備えることもできる。スピーカは、運転者に対して音声出力を行い、マイクは、運転者によって発せられた音声等を集音する。
そうすることで、情報をスピーカから音声で出力したり、マイクを介して音声入力された運転者による各種の選択、指示を音声認識技術により、制御部１１に入力したりすることもできる。
【００５１】
次に、制御部１１の詳細について説明をする。制御部１１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部１２から読み出した各プログラムを実行し、その実行の際にはＲＡＭ、ＲＯＭ、及び記憶部１２から情報を読み出し、ＲＡＭ及び記憶部１２に対して情報の書き込みを行い、通信部１３、センサ部１４、表示部１５、及び入力部１６と信号の授受を行う。そして、このようにして、ハードウェアとソフトウェア（プログラム）が協働することにより本実施形態における処理は実現される。
【００５２】
制御部１１は、機能ブロックとして、経路案内部１１１、位置情報送信部１１２及び経路情報要求部１１３を備える。
【００５３】
経路案内部１１１は、ユーザによって入力又は選択された施設等の目的地までの経路案内処理を行う部分である。
目的地までの経路案内処理は、一般的なカーナビゲーションシステムにおける経路案内処理と同等である。すなわち、経路案内部１１１は、記憶部１２に記憶されている地図情報１２１に基づいて目的地までの地図を生成し、この地図上にセンサ部１４により測位された車載ナビゲーション装置１０の現在位置と目的地の位置と目的地までのルート情報とを重ね、これを表示部１５に表示することにより経路案内を行うことができる。この場合に、経路案内部１１１は、経路情報提供サーバ３０から配信された経路情報である地元ルート情報や、後述の一般ルート情報等のルート情報を経路案内用のルート情報として利用することができる。
【００５４】
更に、この場合に、図示を省略したスピーカから経路案内用の音声を出力するようにしてもよい。また、道路の混雑状況の情報や天気の情報等を通信部１３による通信により取得して、この取得した情報を経路案内処理に利用するようにしてもよい。例えば、通信部１３を介してＶＩＣＳ（登録商標）（Vehicle Information Communication System）等から取得した道路状況（例えば、渋滞状況等）を経路案内処理に利用するようにしてもよい。なお、目的地までの経路案内処理については、当業者によく知られているので、これ以上の詳細な説明は省略する。
【００５５】
位置情報送信部１１２は、通信部１３を利用した無線通信により、記憶部１２に格納されている位置情報１２２及び識別情報１２３を、経路情報提供サーバ３０に対して送信する部分である。
位置情報送信部１１２による、経路情報提供サーバ３０に対する位置情報１２２及び識別情報１２３の送信は、車両５０ａに乗車したユーザにより車両５０ａのイグニッションスイッチがオン（エンジンを起動）にされ、車載ナビゲーション装置１０が自動起動してから、車両５０ａのイグニッションスイッチがオフ（エンジンを停止）にされるまでの間、周期的に行われる。例えば、所定の時間間隔（例えば３秒間隔）でセンサ部１４が測位を行う都度、リアルタイムに送信が行われる。
【００５６】
また、リアルタイムに経路情報提供サーバ３０に送信する替わりに、複数個まとめて（例えば３分間分の間に３秒間隔で更新された位置情報１２２と、識別情報１２３とをまとめて）、一度に送信するようにしてもよい。すなわち、いわゆるバースト送信をするようにしてもよい。かかる、所定の時間間隔の長さや、リアルタイムに送信するか、それともバースト送信するかは、本実施形態を適用する環境等に応じて、任意に設定することができる。
このようにして、リアルタイム送信やバースト送信を行うことにより、位置情報送信部１１２は、センサ部１４が測位した車両５０ａの移動経路を特定するための位置情報１２２と、識別情報１２３とを、経路情報提供サーバ３０に対して送信する。
【００５７】
この場合に、イグニッションスイッチがオン（エンジンを起動）にされ、車載ナビゲーション装置１０が自動起動した直後に測位された位置情報１２２により特定される位置を最初の車両位置、すなわち出発位置として経路情報提供サーバ３０に送信することができる。更に、イグニッションスイッチがオフ（エンジン停止）される直前に測位された位置情報１２２により特定される位置を最終の車両位置、すなわち駐車位置として経路情報提供サーバ３０に送信することができる。
この場合、出発位置を表す位置情報１２２であることを示す起動情報や、駐車位置を表す位置情報１２２であることを示す停止情報を、位置情報１２２に追加してから、経路情報提供サーバ３０に送信するようにしてもよい。例えば、起動情報であることを示すフラグを１にして送信したり、停止情報であることを示すフラグを１にして送信したりするとよい。なお、イグニッションスイッチがオフ（エンジン停止）される直前に測位された位置情報１２２（すなわち、駐車位置）については、イグニッションスイッチがオン（エンジンを起動）にされ、車載ナビゲーション装置１０が再度起動した際に送信されてもよい。
【００５８】
また、バースト送信を行う場合であっても、経路案内部１１１により車両５０ａが目的地（例えば、或る施設）に到着したと判断された場合には、位置情報送信部１１２は、リアルタイムに送信を行うように切り替えるとよい。このようにすれば、或る施設に到着後、駐車位置の位置情報１２２が送信される前に、イグニッションスイッチがオフ（エンジン停止）されてしまい、施設等の目的地の位置情報１２２が経路情報提供サーバ３０に対して送信されない、という事態を防止することができる。
【００５９】
経路情報要求部１１３は、経路案内部１１１による経路案内に用いるために、地元ルート情報や、後述の一般ルート情報といった経路情報を経路情報提供サーバ３０に対して要求する部分である。そして、経路情報要求部１１３は、この要求に応じて経路情報提供サーバ３０から返信された経路情報である地元ルート情報や、後述の一般ルート情報を経路案内部１１１に対して出力する。経路案内部１１１は、経路情報要求部１１３から入力される地元ルート情報や、後述の一般ルート情報を経路案内用のルート情報として利用して経路案内を行う。
【００６０】
なお、経路情報要求部１１３は、ユーザにより何れかの施設が目的地として設定される都度、経路情報提供サーバ３０に対して経路情報を要求するようにする。ただし、例えば、通信部１３による通信ができない場所等を車両５０ａが走行しているような場合には、経路情報要求部１１３は、経路情報提供サーバ３０に対して経路情報を要求することができない。そのため、このような場合には、経路情報要求部１１３による、経路情報の要求は一時的に取りやめ、経路案内部１１１が地図情報１２１に基づいて経路案内用のルート情報を生成して利用するようにしてもよい。
【００６１】
＜携帯端末２０が備える機能ブロック＞
次に、携帯端末２０が備える機能ブロックについて図３のブロック図を参照して説明をする。
ここで、上述した車載ナビゲーション装置１０は、車両５０ａから電源の供給を受けていたが、携帯端末２０は自身が備えるバッテリ（図示を省略する。）から電源の供給を受ける。ただし、バッテリを充電するために携帯端末２０が車両５０ｂのシガーソケット等から電源の供給を受けるようにしてもよい。
【００６２】
図３に示すように、携帯端末２０は、制御部２１と、記憶部２２と、通信部２３と、センサ部２４と、表示部２５と、入力部２６と、近距離通信部２７とを含んで構成される。
ここで、制御部２１と、記憶部２２と、通信部２３と、センサ部２４と、表示部２５と、入力部２６は、上述した車載ナビゲーション装置１０が含む同名の機能ブロックと同等の機能を有している。つまり、上述した車載ナビゲーション装置１０の説明における「車載ナビゲーション装置１０」の文言を「携帯端末２０」を置き換え、上述した車載ナビゲーション装置１０の説明における、「車両５０ａ」の文言を「車両５０ｂ」と置き換えることにより、携帯端末２０の各機能ブロックの説明となるので、重複する再度の説明は省略する。
【００６３】
一方で、携帯端末２０は、近距離通信部２７を含んでいる点等で、車載ナビゲーション装置１０と相違するので、この相違点について、以下説明をする。
近距離通信部２７は、ＮＦＣ（Near Field Communication）やＢｌｕｅｔｏｏｔｈ（登録商標）といった規格に準拠した非接触の近距離通信、又はＵＳＢ（Universal Serial Bus）ケーブル等を介した有線による近距離通信を行うための部分である。
一方で、車両５０ｂは、近距離通信部２７と通信を行うための近距離通信部を備える。例えば車両５０ｂのＥＣＵ（Electronic Control Unit）が近距離通信部を備える。
そして、携帯端末２０がＥＣＵと近距離通信により通信することができる場合とは、すなわち、携帯端末２０が車両５０ｂの車内に存在する場合である。この場合、携帯端末２０のセンサ部２４が測位する位置情報は、車両５０ｂの位置情報に相当することになる。
【００６４】
そこで、携帯端末２０は、近距離通信部２７を介してＥＣＵと近距離通信できる間は、位置情報送信部２１２を起動させる。そして、起動した位置情報送信部２１２が、車載ナビゲーション装置１０の位置情報送信部１１２と同様にして、センサ部２４が測位した車両５０ｂの移動経路を特定するための位置情報２２２と、識別情報２２３とを、経路情報提供サーバ３０に対して送信する。
【００６５】
例えば、ユーザが携帯端末２０を所持して車両５０ｂに乗車し、イグニッションスイッチ等の車両５０ｂの起動スイッチをオンにすると、車両５０ｂと携帯端末２０とが接続（ペアリング）され、携帯端末２０で測位した位置情報２２２及び識別情報２２３が携帯端末２０から経路情報提供サーバ３０に送信される。この場合、車両５０ｂと携帯端末２０とのペアリング直後に測位された位置情報１２２により特定される位置を最初の車両位置、すなわち出発位置として経路情報提供サーバ３０に送信することができる。
【００６６】
更に、イグニッションスイッチ等の車両５０ｂの起動スイッチがオフにされると、車両５０ｂと携帯端末２０とのペアリングが解除される。この場合、解除された直前に測位された位置情報１２２により特定される位置を最終の車両位置、すなわち駐車位置として経路情報提供サーバ３０に送信することができる。
この場合に、リアルタイムで送信してもよく、バースト送信してもよい点や、駐車位置に到着したと判断された場合には、バースト送信をリアルタイムの送信に切り替えても良い点や、出発位置又は駐車位置であることを示す起動情報や停止情報を追加しても良い点や、再起動時に駐車位置を送信しても良い点も位置情報送信部１１２と同様である。
【００６７】
なお、車両５０ｂが位置情報を測位する機能を有している場合には、センサ部２４が測位する位置情報ではなく、車両５０ｂが測位する位置情報を位置情報１２２として経路情報提供サーバ３０に送信するようにしてもよい。この場合、携帯端末２０から、センサ部２４を省略するようにしてもよい。
【００６８】
＜経路情報提供サーバ３０が備える機能ブロック＞
次に、経路情報提供サーバ３０が備える機能ブロックについて図４のブロック図を参照して説明をする。
【００６９】
図４に示すように、経路情報提供サーバ３０は、制御部３１と、記憶部３２と、通信部３３と、表示部３４と、入力部３５と、を含んで構成される。
【００７０】
制御部３１は、マイクロプロセッサ等の演算処理装置から構成され、３０を構成する各部の制御を行う。制御部３１の詳細については、後述する。
【００７１】
記憶部３２は、半導体メモリ等で構成されており、ファームウェアやオペレーティングシステムと呼ばれる制御用のプログラムや、情報分析処理を行うためのプログラムといった各プログラム、更にその他、地図情報等の種々の情報が記憶される。図中には、記憶部３２が記憶する情報として、経路情報提供サーバ３０による経路情報提供処理に関する情報である、位置情報データベース３２１、地図情報３２２及び地元ルート情報３２３を図示する。
【００７２】
位置情報データベース３２１は、車載ナビゲーション装置１０及び携帯端末２０のそれぞれから受信した位置情報１２２及び位置情報２２２と識別情報１２３及び識別情報２２３とに基づいて構築されたデータベースである。位置情報データベース３２１は、後述の位置情報データベース更新部３１１により構築及び更新される。位置情報データベース３２１の詳細については、位置情報データベース更新部３１１の説明の際に後述する。なお、以下の説明では、位置情報１２２及び位置情報２２２を区別することなく説明する際は、符号を省略して「位置情報」と呼ぶ。また、同様に識別情報１２３及び識別情報２２３を区別することなく説明する際は、符号を省略して「識別情報」と呼ぶ。
【００７３】
地図情報３２２は、上述した地図情報１２３や地図情報２２３と同じ情報である。地図情報３２２は、地図情報１２３や地図情報２２３と同様に、予め記憶しておく構成としてもよいし、通信網４０に接続されたサーバ装置（図示を省略する。）等から必要に応じて適宜ダウンロードされる構成としてもよい。更に、ユーザの入力等に応じて適宜修正されてもよい。
【００７４】
地元ルート情報３２３は、各施設についての地元ルートを表す情報である、地元ルート情報３２３は、後述の地元ルート蓄積部３１２により蓄積される。地元ルート情報３２３の詳細については、地元ルート蓄積部３１２の説明の際に後述する。
【００７５】
通信部３３は、ＤＳＰ（Digital Signal Processor）等を有し、３Ｇ（3rd Generation）ＬＴＥ（Long Term Evolution）やＷｉ−Ｆｉ（登録商標）といった規格に準拠して、通信網４０を介して通信網４０を介した他の装置との間の無線通信を実現する。通信部３３は、例えば、車載ナビゲーション装置１０及び携帯端末２０のそれぞれから送信される位置情報及び識別情報を受信するために利用される。また、他にも通信部３３は、例えば、車載ナビゲーション装置１０及び携帯端末２０に対して地元ルート情報等の経路情報を送信するために利用される。
ただし、通信部３３と他の装置との間で送受信されるデータに特に制限はなく、これらの情報以外の情報が送受信されるようにしてもよい。
【００７６】
表示部３４は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、位置情報データベース３２１から読み出された位置情報データベース内の各情報や、地図情報３２２から読み出された地図情報や、地元ルート情報等の経路情報や、各種のユーザインタフェース等が挙げられる。
【００７７】
入力部３５は、キーボードやマウス等の入力装置（図示を省略する。）等で構成される。入力部１６からの操作入力に基づいて、例えば、位置情報データベース３２１や地図情報３２２の修正や、更新した地元ルート情報等の経路情報の送信先とする車載ナビゲーション装置１０や携帯端末２０の選択等の処理を行うことが可能となる。これらの操作は、例えば、経路情報提供サーバ３０を管理する事業者により行われる。
【００７８】
次に、制御部３１の詳細について説明をする。制御部３１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部３２から読み出した各プログラムを実行し、その実行の際にはＲＡＭ、ＲＯＭ、及び記憶部３２から情報を読み出し、ＲＡＭ及び記憶部３２に対して情報の書き込みを行い、通信部３３、表示部３４、及び入力部３５と信号の授受を行う。そして、このようにして、ハードウェアとソフトウェア（プログラム）が協働することにより本実施形態における処理は実現される。
【００７９】
制御部３１は、機能ブロックとして、位置情報データベース更新部３１１、地元ルート蓄積部３１２、及び経路情報配信部３１３を含む。
位置情報データベース更新部３１１は、位置情報データベース３２１を構築して、適宜更新する部分である。位置情報データベース３２１のデータ構造の一例について、図５を参照して説明する。
【００８０】
図５に示すように、位置情報データベース３２１は、上述したようにして車載ナビゲーション装置１０及び携帯端末２０のそれぞれから受信した「位置情報」及び「識別情報」を含む。
更に、位置情報データベース３２１は、上述したようにして車載ナビゲーション装置１０及び携帯端末２０のそれぞれから受信した「位置情報」に基づいて位置情報データベース更新部３１１が特定した、「訪問施設」及び「出発位置」を含む。
そして、位置情報データベース更新部３１１は、それぞれの属性に対応する情報を、フィールドに格納することにより、位置情報データベース３２１を構築及び更新する。
【００８１】
ここで、位置情報データベース３２１内の「訪問施設」は、ユーザが車両５０により訪問した施設を識別するための情報である。位置情報データベース更新部３１１は、識別情報と共に受信した位置情報から、訪問施設を特定する。例えば、上述したように、位置情報に駐車位置を示す情報が含まれている場合を考える。この場合、この駐車位置と、地図情報３２２に含まれる各施設の位置（及び施設に紐付けられている駐車場の位置）を比較し、特定した駐車位置と何れかの施設の位置（及び施設に紐付けられている駐車場の位置）が一致した場合に、ユーザが、車両５０によりこの施設に訪問したと判定する。そして、地図情報３２２に含まれる施設の識別情報（施設ＩＤ）が位置情報データベース３２１内の、訪問施設のフィールドに格納される。
【００８２】
また、仮に位置情報に駐車位置を示す情報が含まれていない場合には、例えば、位置情報の送信が開始されて終了するまでの間の、最後に受信した位置情報に対応する位置や、一定時間変化しない位置を駐車位置であるとみなして、各施設の位置（及び施設に紐付けられている駐車場の位置）との比較をすることによって訪問施設を特定することもできる。
更に、仮に位置情報に駐車位置を示す情報が含まれていない場合には、例えば、経路案内において目的地として設定された施設を訪問施設として特定することもできる。
【００８３】
なお、上述した駐車位置と、施設の位置の「一致」の度合いは任意に定めるようにしてよい。例えば、車載ナビゲーション装置１０や携帯端末２０が位置情報を精度良く測定できるような場合には、一致と判定する範囲を狭くするようにしてもよい。一方で、車載ナビゲーション装置１０や携帯端末２０が位置情報をそれほど精度良く測定できないような場合には、一致と判定する範囲を広くするようにしてもよい。つまり、多少位置がズレている場合にも一致と判定するようにしてもよい。
【００８４】
また、位置情報データベース３２１内の「識別情報」は、上述したように位置情報の送信元である車載ナビゲーション装置１０や携帯端末２０を識別するための情報である。すなわち、車載ナビゲーション装置１０や携帯端末２０に対応する車両５０を識別する情報である。位置情報データベース更新部３１１は、位置情報と共に受信した識別情報をフィールドに格納する。
【００８５】
また、位置情報データベース３２１内の「出発位置」は、訪問施設を訪問した際の移動経路における出発位置である。
位置情報データベース更新部３１１は、識別情報と共に受信した位置情報から、出発位置を特定する。例えば、上述したように、位置情報に出発位置を示す情報が含まれているならば、この情報により出発した位置を特定する。また、仮に位置情報に出発位置を示す情報が含まれていない場合には、例えば、位置情報の送信が開始されて終了するまでの間の、最初に受信した位置情報に対応する位置が出発位置であるとみなすこともできる。位置情報データベース更新部３１１は、特定した出発位置をフィールドに格納する。
【００８６】
また、位置情報データベース３２１内の「位置情報」は、訪問施設を訪問した際の移動経路における出発位置から駐車位置までの間の時間離散的に変化する位置情報の全てである。位置情報データベース更新部３１１は、位置情報の送信が開始されて終了するまでの間に受信した全ての位置情報をフィールドに格納する。後述の地元ルート蓄積部３１２等は、格納された全ての位置情報を時系列に沿ってつなぐことにより、車両５０の移動経路を特定することができる。
【００８７】
位置情報データベース更新部３１１は、何れかの車載ナビゲーション装置１０及び携帯端末２０から位置情報及び識別情報の送信が一度開始されてから終了するまでの間、受信した位置情報及び識別情報に基づいて新たなフィールドに上述した各情報を格納することにより位置情報データベース３２１を更新する。
【００８８】
次に、地元ルート蓄積部３１２について説明をする。地元ルート蓄積部３１２は、位置情報データベース更新部３１１に格納されている出発位置を参照し、この出発位置が、地図情報３２２により特定される訪問施設の施設位置から第１所定範囲内に存在するか否かを判定する。そして、第１所定範囲内に存在する場合は、この出発位置に対応する位置情報により特定される移動経路を地元ルートと判断する。そして、この地元ルートを表す情報を地元ルート情報３２３として記憶部３２に記憶させる。一方で、第１所定範囲内に存在しない場合は（すなわち、第１所定範囲外に存在する場合は）、この出発位置に対応する位置情報により特定される移動経路は地元ルートとではないと判断し、地元ルート情報３２３として記憶部３２に記憶させることはしない。
【００８９】
ここで、第１所定範囲は任意の大きさとすることができる。例えば、訪問施設の位置を中心とした半径Ｎ［ｋｍ］（Ｎは、任意の正の値）の範囲を第１所定範囲とすることができる。また、半径ではなく、例えば訪問施設からの道路上での移動距離がＮ［ｋｍ］の範囲を第１所定範囲とすることができる。また、他にも例えば訪問施設からの所要移動時間に基づいて第１所定範囲を決定するようにしてもよい。第１所定範囲の大きさは例えば、経路情報提供サーバ３０を利用するユーザが設定するようにするとよい。
【００９０】
次に、経路情報配信部３１３について説明をする。経路情報配信部３１３は、車載ナビゲーション装置１０及び携帯端末２０から経路情報の要求を受け付ける。この経路情報の要求には、経路情報の要求元が訪問しようとしている施設の識別情報と、この車両５０の現在の移動経路における出発位置と現在位置が含まれるものとする。なお、経路情報の要求に出発位置や現在位置ではなく要求元の識別情報が含まれるようにし、経路情報配信部３１３がこの識別情報に基づいて位置情報データベース３２１を参照することにより、現在の移動経路における出発位置や現在位置を特定するようにしてもよい。
【００９１】
そして、経路情報配信部３１３は、現在の移動経路における出発位置が、地図情報３２２により特定される訪問施設の施設位置から第２所定範囲外に存在するか否かを判定する。そして、第２所定範囲外に存在する場合は、経路情報の要求元に対して、経路情報の要求元が訪問しようとしている施設に対応する地元ルート情報３２３であって、この経路情報の要求元の現在位置を含む地元ルート情報３２３を経路情報として配信する。
【００９２】
ここで、このような地元ルート情報３２３が１つのみ存在する場合には、この地元ルート情報３２３を配信すればよい。また、複数存在する場合には、複数の地元ルート情報３２３を配信すればよい。そして、経路情報の要求元は、配信された複数の地元ルート情報３２３を用いて経路案内を行う。この場合に、例えば、複数の地元ルート情報３２３が異なる経路を表す場合には、この異なる経路全てを利用して経路案内をしてもよい。例えば、複数の経路を車両５０の運転者に提示して、運転者が何れかの経路を移動するのかを決定してもよい。また、そうではなくて、もっとも多くの車両５０が利用した経路のみを提示して経路案内をしてもよい。また、複数の経路を車両５０の運転者に提示する場合には、多くの車両５０が利用した経路と、それほど多くの車両５０は利用していない経路とを、例えば経路を示す線の色や太さを異ならせて区別可能なようにするとよい。
【００９３】
一方で、第２所定範囲外に存在しない場合は（すなわち、第２所定範囲内に存在する場合は）、経路情報の要求元に対して、通常ルート情報を経路情報として配信する。この通常ルート情報は、一般的な経路案内におけるアルゴリズムで生成されるルート情報であり、地図情報３２２に含まれるリンクコストデータ等に基づいて生成される。経路情報の要求元は、配信された複数の通常ルート情報を用いて経路案内を行う。
【００９４】
ここで、第２所定範囲は第１所定範囲と同様にして任意の大きさとすることができる。任意の大きさとした場合の具体例については、第１所定範囲の説明時に上述しているので重複する説明は省略する。なお、第１所定範囲と第２所定範囲の大きさは異なっていてもよいが、同じ大きさであってもよい。
【００９５】
＜地元ルート情報や通常ルート情報を利用した経路案内の具体例＞
次に、図６〜図１０を参照して、車載ナビゲーション装置１０の経路案内部１１１や携帯端末２０の経路案内２１１にて行われる、地元ルート情報３２３や通常ルート情報を利用した経路案内の具体例について説明をする。以下では、経路案内時に表示部１５や表示部２５に表示される情報の例を図示する。
まず、前提として、今回訪問する施設の周辺の地図を地図情報１２１や地図情報２２１に基づいて表示する。この地図の表示例を図６に示す。
【００９６】
図６の例では、経路案内行う車載ナビゲーション装置１０や携帯端末２０に対応する車両５０の車両位置６１を示すアイコンと、今回訪問する施設である目的施設６２を示すアイコンと、目的施設６２の近傍に設置された交通信号機６３を示すアイコンが、道路や他の施設のアイコンと共に表示される。ここで、車両位置６１が示すように、車両５０は交通レーンが複数あるような幹線道路を、図中の下側から上側に向けて走行している。また、目的施設６２は、この幹線道路から訪問できる場所に位置している。
そして、経路案内部１１１や経路案内２１１は、車両位置６１から目的施設６２までの移動経路（ルート）を、地元ルート情報３２３や通常ルート情報に基づいて、図６に示すような地図に重ねて表示する。
【００９７】
次に、図７に通常ルート情報に基づいて、通常ルート６４を重ねて表示した例を示す。ここで、通常ルート６４は、上述したように一般的な技術にて生成されたルート情報である。図７に示すように、通常ルート６４としては、車両５０が現在走行している幹線道路をそのまま直進し、交通信号機６３を過ぎた後、目的施設６２の前で右折することにより、目的施設６２に到着するというルートが提示されている。かかる、ルートは距離的には最短距離のルートではあるが、幹線道路において交差点ではない場所で右折を行うというルートである。そのため、特に交通量の多い時間帯では、右折を行うことは困難である。
【００９８】
ここで、地元ユーザであれば、現在の時間帯における交通量の予測がつくと共に、交通量が少ない時間帯であればこのルート通り移動してもよいが、交通量の多い時間帯であればこのルートを避けて他のルートを移動した方がよいということを理解している可能性が高い。そのため、この通常ルートに基づいたルートを表示しても問題とならない。
【００９９】
一方で、遠方から施設を訪問する地元ユーザ以外のユーザは、現在の時間帯における交通量の予測ができず、また、他のルートを知らない可能性が高い。そこで、本実施形態では、上述したように、このような遠方から施設を訪問する地元ユーザ以外のユーザに対して地元ルート情報３２３に基づいたルートを表示する。
【０１００】
次に、地元ルート情報３２３に基づいたルートの１つの表示例を図８に示す。具体的には、図８では、図７における通常ルート６４ではなく、地元ルート情報３２３に基づいた第１地元ルート６５が地図に重ねて表示される例を示す。
図８に示すように、第１地元ルート６５としては、車両５０が現在走行している幹線道路をそのまま直進し、交通信号機６３において右折した後に左折を２回行うことにより、目的施設６２に到着するというルートが提示されている。かかるルートは、距離的には最短距離のルートではないが、交差点にて右折を行うというルートであり、図７に示した通常ルート６４のように幹線道路において交差点ではない場所で右折を行うというルートではない。そのため、車両５０は交通信号機６３において右折レーンに入ることにより、問題なく右折を行うことができる。従って、目的施設６２の周囲の道路状況について詳しくない、地元ユーザ以外のユーザにとって適した経路を提供することができている。
【０１０１】
更に、地元ルート情報３２３に基づいたルートの他の表示例を図９に示す。具体的には、図９では、図８における通常ルート６４ではなく、地元ルート情報３２３に基づいた第２地元ルート６６が地図に重ねて表示される例を示す。
図９に示すように、第２地元ルート６６としては、車両５０が現在走行している幹線道路をそのまま直進し、交通信号機６３を過ぎた後、目的施設６２の前で左折をし、そのまま左折を４回行うことにより、目的施設６２に到着するというルートが提示されている。かかるルートは、距離的には最短距離のルートではないが、右折を行う必要がないというルートであり、図７に示した通常ルート６４のように幹線道路において交差点ではない場所で右折を行うというルートではない。従って、目的施設６２の周囲の道路状況について詳しくない、地元ユーザ以外のユーザにとって適した経路を提供することができている
【０１０２】
このように、地元ルートは、地元ユーザが利用する利便性の高いルートであって、例えば、図８及び図９を参照して説明したように、距離的には最短ルートではなくても、交差点ではない場所での右折のような運転を行う必要がないルートのようなルートである。
【０１０３】
このようなルートを、経路案内を行う装置が地図情報のみに基づいて生成することは困難であると考えられる。しかしながら、本実施形態では、実際に地元ユーザが利用するルートをそのまま利用することができ、経路案内を行う装置が地図情報のみに基づいて生成する必要はない。
つまり、本実施形態によれば、地図情報のみに基づいて経路情報を提供する場合に比して、より適切な経路情報を提供することが可能となる、という効果を奏する。
【０１０４】
＜ユーザインタフェースの具体例＞
次に、上述の図７〜図９のような表示を行うための操作を受け付けるユーザインタフェースの例について図１０を参照して説明をする。このユーザインタフェースは、経路案内時に表示部１５や表示部２５に表示される。
図１０に示すように、画面上は左右２つに分割して表示される。そして、画面の右側には、施設情報６７及び操作領域６８が表示される。まず、車両５０の運転者は、操作領域６８において所望の操作に応じた操作部分を押下する。例えば、目的地とする施設を選択する場合には、図中の「施設選択」を押下する。そして、画面の左側の地図表示上で、目的地とする施設を指定する。今回は、目的施設６２を目的地として選択したものとする。
【０１０５】
すると、車載ナビゲーション装置１０や携帯端末２０や、経路情報提供サーバ３０は上述したように機能し、結果として画面の左側に示す第１地元ルート６５等のルート表示がなされる。また、地図情報１２１や地図情報２２１に基づいて目的施設６２についての施設情報６７が生成され画面右側に表示される。施設情報６７としては、例えば、施設名、施設までの距離、施設の営業時間、施設で利用できる決済方法、施設の電話番号等が表示される。
【０１０６】
また、この状態で、例えば、図中の「地図情報の全体表示」が押下されると、図８のような全体表示画面となり、地図情報やルート情報を表示領域全体に表示するようなことも可能である。
車両５０の運転者は、このようなユーザインタフェースを利用することにより、適切なルート情報による経路案内を受けることができる。
【０１０７】
＜本実施形態の動作＞
次に、図１１及び図１２のフローチャートを参照して、本実施形態の動作について説明する。ここで、図１１は、位置情報の収集及び位置情報データベース３２１の更新時の動作を示すフローチャートである。また、図１２は、情報分析処理時の動作を示すフローチャートである。
【０１０８】
まず、車載ナビゲーション装置１０についての位置情報の収集及び位置情報データベース３２１の更新時の動作について図１１を参照して説明する。
位置情報送信部１１１が位置情報の送信を開始するか否かを判定する（ステップＳ１１）。ここで、上述したように、車両５０ａのイグニッションスイッチがオンとなった場合に送信が開始される。イグニッションスイッチがオフのままの場合には（ステップＳ１１にてＮｏ）、位置情報送信部１１１による送信は開始されない。一方で、イグニッションスイッチがオンとなった場合には（ステップＳ１１にてＹｅｓ）、ステップＳ１２に進む。
【０１０９】
ステップＳ１２では、センサ部１４が、車載ナビゲーション装置１０の位置を測位することにより位置情報を取得する（ステップＳ１２）。
位置情報送信部１１１は、センサ部１４から位置情報を取得し、取得した位置情報を経路情報提供サーバ３０に対して、所定の周期で、リアルタイム送信又はバースト送信をする（ステップＳ１３）。
【０１１０】
次に、位置情報送信部１１１が位置情報の送信を終了するか否かを判定する（ステップＳ１４）。上述したように、車両５０ａのイグニッションスイッチがオフとなった場合に送信が終了となる。車両５０ａのイグニッションスイッチがオンのままの場合には（ステップＳ１４にてＮｏ）、ステップＳ１２における測位及びステップＳ１３における送信が繰り返される。
【０１１１】
一方で、車両５０ａのイグニッションスイッチがオフとなった場合には（ステップＳ１４にてＹｅｓ）、ステップＳ１５に進む。
【０１１２】
ステップＳ１５では、経路情報提供サーバ３０の位置情報データベース更新部３１１が、ステップＳ１２及びステップＳ１３の繰り返しにより送信された位置情報に基づいて位置情報データベース３２１を更新する（ステップＳ１５）。
以上説明した動作により、位置情報の収集及び位置情報データベースの更新が実現される。
【０１１３】
次に、携帯端末２０についての位置情報の収集及び位置情報データベースの更新時の動作について説明する。携帯端末２０については、上述の説明における、位置情報送信部１１１を位置情報送信部２１１に置き換え、センサ部１４をセンサ部２４に置き換え、ステップＳ１１にてＹｅｓとなる基準を「イグニッションスイッチ等の車両５０ｂの起動スイッチがオンとなり、車両５０ｂと携帯端末２０がペアリングした場合」に置き換え、ステップＳ１４にてＹｅｓとなる基準を「イグニッションスイッチ等の車両５０ｂの起動スイッチがオフとなり、車両５０ｂと携帯端末２０のペアリングが解除された場合」に置き換えればよい。従って重複する説明を省略する。
【０１１４】
次に、図１２のフローチャートを参照して、経路情報提供処理時の動作について説明をする。
ステップＳ２１において、まず、地元ルート蓄積部３１２が、位置情報データベース３２１の更新が有ったか否かを判定する。更新がなかった場合は、ステップＳ２１にてＮｏと判定され、処理はステップＳ２４に進む。一方で、更新が有った場合は、ステップＳ２１にてＹｅｓと判定され、処理はステップＳ２２に進む。
【０１１５】
ステップＳ２２において、地元ルート蓄積部３１２は、更新された情報における出発位置が、第１所定範囲内に存在するか否かを判定する。更新された位置情報における出発位置が、第１所定範囲内に存在していない場合（すなわち、第１所定範囲外に存在している場合）は、ステップＳ２２にてＮｏと判定され、処理はステップＳ２４に進む。一方で、更新された情報における出発位置が、第１所定範囲内に存在している場合は、ステップＳ２２にてＹｅｓと判定され、処理はステップＳ２３に進む。
【０１１６】
ステップＳ２３において、地元ルート蓄積部３１２は、ステップＳ２２にて判定の対象とした出発位置に対応する位置情報により特定される経路を表す情報を、地元ルート情報３２３として記憶部３２に記憶させる。
【０１１７】
ステップＳ２４において、経路情報配信部３１３は、何れかの車載ナビゲーション装置１０や携帯端末２０から経路情報の要求が有ったか否かを判定する。経路情報の要求がなかった場合は、ステップＳ２４にてＮｏと判定され、処理は再度ステップＳ２１に進む。そして、上述したステップＳ２１以降の処理が繰り返される。一方で、経路情報の要求が有った場合は、ステップＳ２４にてＹｅｓと判定され、処理はステップＳ２５に進む。
【０１１８】
ステップＳ２５において、経路情報配信部３１３は、要求元に対応する車両５０の現在の移動経路における出発位置が地図情報３２２により特定される訪問施設の施設位置から第２所定範囲外に存在するか否かを判定する。
現在の移動経路における出発位置が、第２所定範囲外に存在していない場合（すなわち、第２所定範囲内に存在している場合）は、ステップＳ２５にてＮｏと判定され、処理はステップＳ２６に進む。一方で、現在の移動経路における出発位置が、第２所定範囲外に存在している場合は、ステップＳ２５にてＹｅｓと判定され、処理はステップＳ２７に進む。
【０１１９】
ステップＳ２６において、経路情報配信部３１３は、経路情報の要求元が訪問しようとしている施設に対応する通常ルートであって、この経路情報の要求元の現在位置を含む通常ルート情報を、地図情報３２２に基づいて生成する。そして、経路情報配信部３１３は、生成した通常ルート情報を、経路情報の要求元に対して、経路情報として配信する。
【０１２０】
ステップＳ２７において、経路情報配信部３１３は、経路情報の要求元が訪問しようとしている施設に対応する地元ルート情報３２３であって、この経路情報の要求元の現在位置を含む地元ルート情報３２３を、経路情報の要求元に対して、経路情報として配信する。
【０１２１】
以上の処理により、地元ユーザ以外のユーザに対して、地元ルートを提供することができる。これにより奏する効果については、上述の「＜地元ルート情報や通常ルート情報を利用した経路案内の具体例＞」との項目において、特に図８や図９を参照して説明したので、重複する説明は省略する。
【０１２２】
＜ハードウェア及びソフトウェアについて＞
なお、上記のナビゲーションシステムに含まれる各機器のそれぞれは、ハードウェア、ソフトウェア又はこれらの組み合わせにより実現することができる。また、上記のナビゲーションシステムに含まれる各機器のそれぞれが協働することにより行なわれるナビゲーション方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１２３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２４】
＜変形例＞
上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１２５】
［第１変形例］
上述した実施形態では、ステップＳ２５において出発位置が第２所定範囲外で有るか否かに基づいて判定を行っていた。この判定に変えて、又は、この判定と共に、経路情報の要求元が右折をする可能性が高いか否かに基づいた判定を行うようにしてもよい。そのために、経路情報配信部３１３は、地図情報３２２に基づいて、仮にルート情報を配信しなかったならば、経路情報の要求元が右折をする可能性が高いか否かを判定する。例えば、通常ルートを生成し、この通常ルートに右折箇所が含まれているような場合に、仮にルート情報を配信しなかったならば、経路情報の要求元が右折をする可能性が高いと判定する。
そして、右折をする可能性が高い場合には、ステップＳ２７に進み、地元ルート情報３２３を配信するようにし、右折をする可能性が低い場合には、ステップＳ２６に進み、通常ルート情報を配信するようにするとよい。
【０１２６】
［第２変形例］
時間帯によって、適切な地元ルートが異なる場合がある。例えば、昼には渋滞していないが、夜には渋滞をするような道路が存在する場合には、夜にはこの道路を避けたルートが適切な地元ルートとして利用されていることが考えられる。また、昼には渋滞していないので右折が容易でも、夜には渋滞により右折が困難なので、夜には右折を含まないとなるようなルートが適切な地元ルートとして利用されていることが考えられる。
【０１２７】
そこで、上述した実施形態では、地元ルート情報３２３について時間帯に関する区別はしていなかったが、時間帯に関する区別をするようにしてもよい。この場合、地元ルート蓄積部３１２は、車両５０の位置情報に含まれる該位置情報の測位時刻に基づいて、車両５０が地元ルート情報３２３を実際に移動した時間帯毎に区別して、地元ルート情報３２３を記憶部３２に記憶させる。
【０１２８】
そして、経路情報配信部３１３は、地元ルート情報３２３を要求元に対して配信する場合に、経路情報の要求を受けた時間帯に対応する地元ルート情報３２３を要求元に対して配信する。
これにより、時間帯に応じた地元ルート情報３２３を提供することが可能となる。
【０１２９】
［第３変形例］
また、第２変形例のように、時間と道路状況（例えば、道路の渋滞状況）に相関関係がある場合もあるが、相関関係がない場合もある。つまり、日によって道路が渋滞等する時間が異なるような場合がある。
【０１３０】
そこで、上述した実施形態では、地元ルート情報３２３について道路状況に関する区別はしていなかったが、道路状況に関する区別をするようにしてもよい。この場合、地元ルート蓄積部３１２は、通信部３３を介してＶＩＣＳ（登録商標）等から取得した道路状況に基づいて、車両５０が地元ルート情報３２３を実際に移動した際の道路状況毎に区別して、地元ルート情報３２３を記憶部３２に記憶させる。
【０１３１】
そして、経路情報配信部３１３は、地元ルート情報３２３を要求元に対して配信する場合に、経路情報の要求を受け付けた時点の道路状況に対応する地元ルート情報３２３を要求元に対して配信する。
これにより、道路状況に応じた地元ルート情報３２３を提供することが可能となる。
【０１３２】
［第４変形例］
上述した実施形態の機能的構成を変形するようにしてもよい。つまり、図２、図３及び図４の機能的構成は例示に過ぎず、本実施形態の機能的構成を限定するものではない。すなわち、本発明の情報分析機能に関する一連の処理を全体として実行できる機能が各機器に備えられていれば足り、この機能を実現するためにどのような機能ブロックを用いるのかは特に図２、図３及び図４の例に限定されない。
【０１３３】
また、これら機能的構成を実現するための装置についても、上述した実施形態での説明は例示に過ぎない。例えば、上述の実施形態では、経路情報提供サーバ３０を１つのサーバ装置等により実現すると説明したが、経路情報提供サーバ３０の各機能を、適宜複数のサーバ装置に分散する、分散処理システムとしてもよい。また、クラウド上で仮想サーバ機能等を利用して、経路情報提供サーバ３０の各機能を実現してもよい。
【０１３４】
また、経路情報提供サーバ３０が備えるとして説明した表示部３４及び入力部３５は、経路情報提供サーバ３０の他の部分を実現する装置とは、別体の装置により実現されてもよい。例えば、制御部３１、記憶部３２及び通信部３３を実現する装置と、表示部３４及び入力部３５を実現する装置とを別体とし、通信網４０を介して両装置が通信を行うような構成としてもよい。
【符号の説明】
【０１３５】
１  経路案内システム
１０  車載ナビゲーション装置
１１、２１、３１  制御部
１１１、２１１  経路案内部
１１２、２１２  位置情報送信部
１１３、２１３  経路情報要求部
１２、２２、３２  記憶部
１２１、２２１、３２２  地図情報
１２２、２２２  位置情報
１２３、２２３  識別情報
１３、２３、３３  通信部
１４、２４  センサ部
１５、２５、３４  表示部
１６、２６、３５  入力部
２０  携帯端末
２７  近距離通信部
３０  経路情報提供サーバ
３１１  位置情報データベース更新部
３１２  地元ルート蓄積部
３１３  経路情報配信部
３２１  位置情報データベース
３２３  地元ルート情報
４０  通信網
５０ａ、５０ｂ  車両
【図１】
2019007919.tif 000003
【図２】
2019007919.tif 000004
【図３】
2019007919.tif 000005
【図４】
2019007919.tif 000006
【図５】
2019007919.tif 000007
【図６】
2019007919.tif 000008
【図７】
2019007919.tif 000009
【図８】
2019007919.tif 000010
【図９】
2019007919.tif 000011
【図１０】
2019007919.tif 000012
【図１１】
2019007919.tif 000013
【図１２】
2019007919.tif 000014